(57)【要約】【課題】押ボタンが押下操作されたときに何ら破損することなく、押下操作前の非押下位置に押ボタンを復帰させるようにする。【解決手段】押ボタン4が押下位置へ押下操作されると、バネ58の付勢力に抗して復旧レバー57が初期位置から突出位置へ移動され、押ボタン4の引掛突起部4eと復旧レバー57の被係合突起部57bとが係合することにより復旧レバー57が突出位置に固定されるとともに押ボタン4が押下位置に固定され、その状態で、操作部57cが操作されると、押ボタン4の引掛突起部4eと復旧レバー57の被係合突起部57bとの係合状態が解除され、バネ58の付勢力により復旧レバー57が突出位置から初期位置に戻されるとともに押ボタン4が弾性部材55の弾性力により押下位置から非押下位置に戻されるので、押ボタン4が押下位置へ押下操作されたときに何ら破損することなく、押下操作前の非押下位置に押ボタン4を復帰させることができる。【選択図】図８
2015138635.tif 000002
【特許請求の範囲】
【請求項１】
ベースと組み合わされる筐体と、
その側面に引掛突起部が形成された押ボタンと、
前記押ボタンを収容するための前記筐体に形成された押ボタン収容部と、
前記押ボタンと前記ベースとの間で挟持され、前記押ボタン収容部の中で前記押ボタンを押下位置から非押下位置へ向かって付勢する弾性部材と、
前記ベースと前記筐体との間で挟持され、前記押ボタンが押下位置へ押下操作されると、前記押ボタンの前記引掛突起部により前記押ボタンの非押下位置に対応した初期位置から前記押ボタンの押下方向とは直交しかつ前記押ボタンの押下位置に対応した水平方向の突出位置へ移動され、その後に前記引掛突起部と係合して突出位置に固定するための被係合突起部と、前記引掛突起部と前記被係合突起部との係合状態を解除する操作部とが形成された復旧レバーと、
前記筐体に取り付けられ、前記復旧レバーを突出位置から初期位置へ向かって付勢するバネと
を備え、
前記押ボタンが押下位置へ押下操作されると、前記バネの付勢力に抗して前記復旧レバーが初期位置から突出位置へ移動され、前記押ボタンの前記引掛突起部と前記復旧レバーの前記被係合突起部とが係合することにより前記復旧レバーが突出位置に固定されるとともに前記押ボタンが押下位置に固定され、
前記操作部が操作されると、前記押ボタンの前記引掛突起部と前記復旧レバーの前記被係合突起部との係合状態が解除され、前記バネの付勢力により前記復旧レバーが突出位置から初期位置に戻されるとともに前記押ボタンが前記弾性部材の弾性力により押下位置から非押下位置に戻される
ことを特徴とする通報装置。
【請求項２】
前記押ボタンの前記引掛突起部には、前記復旧レバーの前記被係合突起部と面接触可能な所定角度の傾斜面が形成されている
ことを特徴とする請求項１に記載の通報装置。
【請求項３】
前記復旧レバーは、初期位置と突出位置との間を脚部により点接触状態で移動される
ことを特徴とする請求項１または２に記載の通報装置。
【発明の詳細な説明】
【技術分野】
【０００１】
本発明は、例えば銀行において不審者の侵入を警察や警備会社等の一定の通報先に通報するための通報装置に関する。
【背景技術】
【０００２】
従来、通報装置に似たものとして非常警報装置がある（例えば、特許文献１の従来技術を参照）。この非常警報装置においては、非常時に起動スイッチが押下されると、警報を発して非常事態であることを周囲に知らせるが、起動スイッチが誤って押下されるのを阻止するため、強く押下された場合に破壊されるプラスチック板が起動スイッチの前面に配置されている。
【先行技術文献】
【特許文献】
【０００３】
【特許文献１】実開平７−２０６９１号公報
【発明の概要】
【発明が解決しようとする課題】
【０００４】
ところで上述した特許文献１の非常警報装置においては、非常時にはプラスチック板が割られて起動スイッチが押下されるため、当該起動スイッチが押下される度にプラスチック板を交換しなければならないという問題があった。
【０００５】
本発明は上記した従来の問題に鑑みなされたものであり、その目的は、押ボタンが押下位置へ押下操作された場合に何ら破損することなく、かつ、押下操作前の非押下位置に押ボタンを容易に復帰させることが可能な簡易な構成の通報装置を提供することにある。
【課題を解決するための手段】
【０００６】
この目的を達成するために、請求項１に係る発明は、ベース（５１）と組み合わされる筐体（２）と、その側面に引掛突起部（４ｅ）が形成された押ボタン（４）と、前記押ボタン（４）を収容するための前記筐体（２）に形成された押ボタン収容部（２０）と、前記押ボタン（４）と前記ベース（５１）との間で挟持され、前記押ボタン収容部（２０）の中で前記押ボタン（４）を押下位置から非押下位置へ向かって付勢する弾性部材（５５）と、前記ベース（５１）と前記筐体（２）との間で挟持され、前記押ボタン（４）が押下位置へ押下操作されると、前記押ボタン（４）の前記引掛突起部（４ｅ）により前記押ボタン（４）の非押下位置に対応した初期位置から前記押ボタン（４）の押下方向とは直交しかつ前記押ボタン（４）の押下位置に対応した水平方向の突出位置へ移動され、その後に前記引掛突起部（４ｅ）と係合して突出位置に固定するための被係合突起部（５７ｂ）と、前記押ボタン（４）の前記引掛突起部（４ｅ）と前記被係合突起部（５７ｂ）との係合状態を解除する操作部（５７ｃ）とが形成された復旧レバー（５７）と、前記筐体（２）に取り付けられ、前記復旧レバー（５７）を突出位置から初期位置へ向かって付勢するバネ（５８）とを備え、前記押ボタン（４）が押下位置へ押下操作されると、前記バネ（５８）の付勢力に抗して前記復旧レバー（５７）が初期位置から突出位置へ移動され、前記押ボタン（４）の前記引掛突起部（４ｅ）と前記復旧レバー（５７）の前記被係合突起部（５７ｂ）とが係合することにより前記復旧レバー（５７）が突出位置に固定されるとともに前記押ボタン（４）が押下位置に固定され、前記操作部（５７ｃ）が操作されると、前記引掛突起部（４ｅ）と前記復旧レバー（５７）の前記被係合突起部（５７ｂ）との係合状態が解除され、前記バネ（５８）の付勢力により前記復旧レバー（５７）が突出位置から初期位置に戻されるとともに前記押ボタン（４）が前記弾性部材（５５）の弾性力により押下位置から非押下位置に戻されるようにする。
【０００７】
請求項２に係る発明において、前記押ボタン（４）の前記引掛突起部（４ｅ）には、前記復旧レバー（５７）の前記被係合突起部（５７ｂ）と面接触可能な所定角度の傾斜面（４ｅｃ）が形成されているようにする。
【０００８】
請求項３に係る発明において、前記復旧レバー（５７）は、初期位置と突出位置との間を脚部（５７ｒ）により点接触状態で移動されるようにする。
【発明の効果】
【０００９】
請求項１の発明によれば、押ボタン（４）が押下位置へ押下操作されると、バネ（５８）の付勢力に抗して復旧レバー（５７）が初期位置から突出位置へ移動された後、押ボタン（４）の引掛突起部（４ｅ）と復旧レバー（５７）の被係合突起部（５７ｂ）とが係合することにより復旧レバー（５７）が突出位置に固定されるとともに押ボタン（４）が押下位置に固定され、その状態で、操作部（５７ｃ）が操作されると、押ボタン（４）の引掛突起部（４ｅ）と復旧レバー（５７）の被係合突起部（５７ｂ）との係合状態が解除され、バネ（５８）の付勢力により復旧レバー（５７）が突出位置から初期位置に戻されるとともに押ボタン（４）が弾性部材（５５）の弾性力により押下位置から非押下位置に戻されるので、押ボタン（４）が押下位置へ押下操作された場合に何ら破損することなく、かつ、押下操作前の非押下位置に押ボタン（４）を容易に復帰させることができる。
【００１０】
請求項２の発明によれば、押ボタン（４）の前記引掛突起部（４ｅ）には、前記復旧レバー（５７）の前記被係合突起部（５７ｂ）と面接触可能な所定角度の傾斜面（４ｅｃ）が形成されているので、押ボタン（４）の前記引掛突起部（４ｅ）と復旧レバー（５７）の被係合突起部（５７ｂ）とが面接触した安定状態で押下方向の力を水平方向の力に効率良く変換し当該被係合突起部（５７ｂ）を移動させることができる。
【００１１】
請求項３の発明によれば、復旧レバー（５７）が初期位置と突出位置との間を脚部（５７ｒ）により接触抵抗が低減された状態で滑らかに移動されるので、押ボタン（４）の復帰動作を円滑かつ高速に行うことができる。
【図面の簡単な説明】
【００１２】
【図１】通報装置の全体構成を示す上面図である。
【図２】通報装置の断面構成を示す図１におけるI−I断面図である。
【図３】通報装置を分解して示すカバーの表面側から見た分解斜視図である。
【図４】通報装置を分解して示す下側筐体の裏面側から見た分解斜視図である。
【図５】押ボタン、復旧レバーおよび線バネの構成を示す拡大斜視図である。
【図６】押ボタンが非押下位置に位置付けられているときのカバー装着状態およびカバー非装着状態を示す斜視図である。
【図７】押ボタンが非押下位置から押下位置へ押下操作されたときのカバー装着状態およびカバー非装着状態を示す斜視図である。
【図８】押ボタンと復旧レバーとの係合状態および係合状態から非係合状態への移行段階を示す斜視図である。
【発明を実施するための形態】
【００１３】
以下、本発明の実施の形態について説明する。
【００１４】
＜通報装置の構成＞
図１乃至図５を用いて本実施の形態に係る通報装置の構成を説明する。通報装置１０００はカバー１が筐体としての上側筐体２に対して上方から嵌合して装着され、そのカバー１を装着した上側筐体２とその下方に配置された下側筐体３とが組み合わされた状態でネジ（図示せず）により固定されている。すなわち上側筐体２および下側筐体３によって通報装置１０００の筐体が構成されている。
【００１５】
カバー１は、平面視円形の両側の一部分を直線状に切り落とした互いに平行な２辺を有する有底筒形状のプラスチック部材でなり、そのほぼ中央に上側筐体２の内部空間に収納される押ボタン４の表面４ａを外部に露出するための押ボタン露出穴１０が形成されている。
【００１６】
このカバー１の周縁には、互いに平行な２辺を構成するカバー側壁部１１がそれぞれ形成されるとともに、その２つのカバー側壁部１１には、そのほぼ中央付近であって当該カバー側壁部１１の下端面から図示しない係合爪が突設されている。
【００１７】
上側筐体２はカバー１とほぼ同様の外形を有するプラスチック部材でなり、そのほぼ中央であり、カバー１の押ボタン露出穴１０と対向する位置には、押ボタン４を収容するための無底円筒状に形成された押ボタン収容部２０が設けられている。
【００１８】
押ボタン収容部２０には、押ボタン４を当該押ボタン収容部２０の中で上下方向へ案内するための案内溝２０ａ（図３、図４）が約９０度間隔で４個形成されている。この案内溝２０ａは、その上方に係止端２０ａｓが形成されており、押ボタン収容部２０の中で押ボタン４が上方向へ案内されたとき、押ボタン４のガイド部４ｂが案内溝２０ａの係止端２０ａｓによって係止される。この係止された押ボタン４の位置を非押下位置とする。
【００１９】
また押ボタン収容部２０には、その外観がコ字状の復旧レバー５７の被係合突起部５７ｂ（図５）を当該押ボタン収容部２０の内部空間に露出させるための露出穴２０ｂが形成されている。さらに上側筐体２において、押ボタン収容部２０を間に挟んで互いに対向する対角線上の位置には、下側筐体３にネジで固定する際の雌ネジ部２ａがそれぞれ設けられている。
【００２０】
上側筐体２の周縁のうち互いに平行な２辺には、上側筐体側壁部２１が立設されている。また上側筐体２には、カバー１が装着されたときに当該カバー１の下端面を支持する支持面２２が上側筐体側壁部２１と一体化された状態で形成されている。その支持面２２における長手方向の中央部外側寄りであり、かつ、カバー１におけるカバー側壁部１１の係合爪と対向する位置には、当該係合爪が係合される略矩形状の貫通孔からなる係合孔部２３が形成されている。
【００２１】
上側筐体２における押ボタン収容部２０と係合孔部２３との間には、復旧レバー５７の操作部５７ｃを上側筐体２の内部から外部へ向かって僅かに突出させるための操作部用操作部用穴２９が形成されている。
【００２２】
また上側筐体２の係合孔部２３と押ボタン収容部２０との間には、復旧レバー５７が配置される復旧レバー配置空間３０（図４）が形成されている。この復旧レバー配置空間３０は、復旧レバー５７が配置されたとき、当該復旧レバー配置空間３０の中を復旧レバー５７がプリント基板５１上を矢印ａｂ方向に沿って移動可能なスペースを有している。
【００２３】
この操作部用穴２９から復旧レバー５７の操作部５７ｃが僅かに突出した状態で位置付けられるとともに、外観コ字状の復旧レバー５７が押ボタン収容部２０の一部を囲むように復旧レバー配置空間３０に配置され、このとき押ボタン収容部２０の露出穴２０ｂから復旧レバー５７の被係合突起部５７ｂが臨むことになる。
【００２４】
上側筐体２の裏面側には、復旧レバー配置空間３０の矢印ａｂ方向とは直交する長手方向両側端部に線バネ５８を取付固定するための線バネ取付部２ｃ、２ｃ（一方側だけを示す）が形成されている。
【００２５】
この線バネ取付部２ｃ、２ｃに線バネ５８が固定されると、復旧レバー配置空間３０に配置された復旧レバー５７は当該線バネ５８により押ボタン収容部２０側へ付勢される。この線バネ５８の付勢力により押ボタン収容部２０側へ付勢された復旧レバー５７の位置は、当該復旧レバー５７がプリント基板５１上を移動される前の初期位置であり、押ボタン４の非押下位置に対応している。
【００２６】
復旧レバー５７は、中央の本体部５７ａの左右両側に被係合突起部５７ｂが一体に設けられた構成を有している。復旧レバー５７の本体部５７ａには外側に突出した突出部５７ｐが形成され、その突出部５７ｐの上端部にはユーザが操作する操作部５７ｃが当該突出部５７ｐよりも飛び出した状態で一体に形成されている。復旧レバー５７の突出部５７ｐは、上側筐体２に固定された線バネ５８により押ボタン収容部２０側へ付勢される。
【００２７】
この復旧レバー５７における本体部５７ａおよび左右両側の被係合突起部５７ｂの下方端部には、当該復旧レバー５７がプリント基板５１上を移動する際の接触抵抗を点接触により減らすための先端半円形状の脚部５７ｒが一体に形成されている。この場合、本体部５７ａの下方に２個の脚部５７ｒ（図５中には１個のみ表示）、突出部５７ｐの下方に１個の脚部５７ｒおよび被係合突起部５７ｂに１個の脚部５７ｒ（図５中では他方の被係合突起部５７ｂの脚部５７ｒは図示せず）が形成されている。すなわち被係合突起部５７ｂには合計５個の脚部５７ｒが形成されている。
【００２８】
復旧レバー５７の被係合突起部５７ｂ（図５）は、その先端が略Ｌ字状に形成されており、押ボタン４の互いに１８０度間隔で設けられた引掛突起部４ｅのボタン側傾斜面４ｅｃと面接触可能な同じ傾斜角度を有するレバー側傾斜面５７ｂｃが形成されている。
【００２９】
また復旧レバー５７の被係合突起部５７ｂには、レバー側傾斜面５７ｂｃの下方に、押ボタン４の引掛突起部４ｅの上端面４ｅｕと係合して係止される引掛部５７ｂｋが形成されている。押ボタン４の引掛突起部４ｅの上端面４ｅｕと復旧レバー５７の被係合突起部５７ｂの引掛部５７ｂｋとが係合して係止された押ボタン４の位置を押下位置とする。
【００３０】
下側筐体３は上側筐体２とほぼ同一の外形を有するプラスチック部材でなり、その下側筐体３において上側筐体２の雌ネジ部２ａと対向する位置にはネジ挿通孔３ａがそれぞれ設けられている。また下側筐体３のほぼ中央には、ネジ挿通孔３ａの上端面と同じ高さのボス３ｂが形成されており、当該ネジ挿通孔３ａの上端面およびボス３ｂの上端面に対してベースとしてのプリント基板５１が載置される。
【００３１】
プリント基板５１は、上側筐体２の雌ネジ部２ａおよび下側筐体３のネジ挿通孔３ａと対向する位置にそれぞれネジ挿通孔５１ａが設けられている。またプリント基板５１のほぼ中央には、押ボタン４が非押下位置から押下位置に位置付けられたときに通報処理を行うスイッチ回路５２が実装される。
【００３２】
スイッチ回路５２の上端には、ゴム等の円板形状でなる絶縁シート５３が載置され、略有底円筒形状でなる押下補助ゴム５４が絶縁シート５３およびスイッチ回路５２を被覆するようにプリント基板５１に固定される。
【００３３】
押下補助ゴム５４は、その中央に貫通孔５４ａが形成されている。また押下補助ゴム５４はフランジ部５４ｂを有し、当該フランジ部５４ｂの下端面がプリント基板５１に取付固定されている。押下補助ゴム５４のフランジ部５４ｂの上端面には、円周方向にわたってリング状の凹部５４ｃが形成されている。
【００３４】
押ボタン４は、有底円筒形状でなり、その表面４ａが押下操作面として用いられ、上側筐体２の押ボタン収容部２０の中で４個の案内溝２０ａに沿って上下方向へ移動するための直方体形状でなるガイド部４ｂが周側面上に約９０度間隔で４個一体に形成されている。
【００３５】
また押ボタン４は、互いに隣接するガイド部４ｂとガイド部４ｂとの中間であり、復旧レバー５７の被係合突起部５７ｂのレバー側傾斜面５７ｂｃと面接触可能な同じ傾斜角度のボタン側傾斜面４ｅｃを有する引掛突起部４ｅが当該押ボタン４の周側面上に設けられている。
【００３６】
この押ボタン４の引掛突起部４ｅは平らな上端面４ｅｕを有し、その上端面４ｅｕと復旧レバー５７における被係合突起部５７ｂの引掛部５７ｂｋとが係合される。押ボタン４における引掛突起部４ｅの上端面４ｅｕと復旧レバー５７における被係合突起部５７ｂの引掛部５７ｂｋとが係合されたときの復旧レバー５７のプリント基板５１上の位置が、初期位置に対してプリント基板５１上を復旧レバー５７が移動した後の突出位置である。この突出位置は、押ボタン４の押下方向とは直交した水平方向に復旧レバー５７が移動され、かつ押ボタン４の押下位置に対応して復旧レバー５７がプリント基板５１上に停止される位置である。
【００３７】
つまり、押ボタン４が非押下位置に位置付けられているときには復旧レバー５７が初期位置に位置付けられ、押ボタン４が押下操作されているときには当該押ボタン４の押下方向とは直交するプリント基板５１上の水平方向へ復旧レバー５７が移動された後、押ボタン４が押下位置に位置付けられたときには復旧レバー５７が突出位置に位置付けられることになる。
【００３８】
押ボタン４の裏面側の外周寄りには、円周方向にわたってリング状の凹部空間４ｃが形成されている。さらに押ボタン４の裏面側のほぼ中央であり、押下補助ゴム５４の貫通孔５４ａと対向する位置には、絶縁シート５３越しにスイッチ回路５２を押下するための円筒状の凸部４ｄが形成されている。
【００３９】
押ボタン４と押下補助ゴム５４との間には、弾性部材としてのコイルスプリング５５が配置され、押下補助ゴム５４の凹部５４ｃにコイルスプリング５５の一方の端部が載置されるとともに、当該コイルスプリング５５の他方の端部が押ボタン４の裏面側に設けられた凹部空間４ｃに位置付けられる。すなわちコイルスプリング５５は、押ボタン４と押下補助ゴム５４との間に挟み付けられた状態で保持される。
【００４０】
コイルスプリング５５は、その内径が押下補助ゴム５４の円筒部分の外径よりも大きく形成されており、押ボタン４と押下補助ゴム５４との間に挟み付けられた状態で保持された状態で押ボタン４を非押下位置へ付勢している。
【００４１】
＜通報装置の組立方法＞
次に、このような構成の通報装置１０００の組立方法について説明する。まず、プリント基板５１にスイッチ回路５２を実装し、その上に絶縁シート５３を重ねたうえで、押下補助ゴム５４が絶縁シート５３およびスイッチ回路５２を被覆した状態でフランジ部５４ｂをプリント基板５１に固定する。これによりプリント基板モジュールが形成される。
【００４２】
続いて、このプリント基板モジュールを下側筐体３のネジ挿通孔３ａの上端面およびボス３ｂの上端面に載置する。このときプリント基板５１のネジ挿通孔５１ａと下側筐体３のネジ挿通孔３ａとを位置合わせしておく。この状態で、押下補助ゴム５４の上方からコイルスプリング５５の一端を凹部５４ｃに載置し、当該コイルスプリング５５の上方から当該コイルスプリング５５の他端を押ボタン４の凹部空間４ｃに嵌め込ませる。
【００４３】
一方、上側筐体２の復旧レバー配置空間３０に復旧レバー５７を配置し、線バネ取付部２ｃ、２ｃに線バネ５８を固定することにより、復旧レバー配置空間３０に配置された復旧レバー５７が線バネ５８により押ボタン収容部２０側へ付勢された状態の上側筐体２を形成する。
【００４４】
この上側筐体２における押ボタン収容部２０の案内溝２０ａに押ボタン４のガイド部４ｂおよび引掛部４ｅを対向配置した状態で、プリント基板５１のネジ挿通孔５１ａと当該上側筐体２の雌ネジ部２ａとを位置合わせしながら上側筐体２を下側筐体３に向かって押し込み、下側筐体３のネジ挿通孔３ａからプリント基板５１のネジ挿通孔５１ａを介して上側筐体２の雌ネジ部２ａにネジを取り付けることにより筐体が形成される。最後に、上側筐体２の係合孔部２３に対してカバー１のカバー側壁部１１に突設された係合爪を嵌め込むことにより筐体にカバー１が装着された通報装置１０００が形成される。
【００４５】
＜押ボタンの押下動作および復帰動作＞
次に、この通報装置１０００においてユーザが押ボタン４を非押下位置から押下位置へ押下操作したときの押ボタン４の押下動作、および、押ボタン４の押下位置から非押下位置への復帰動作について図６乃至図８を用いて説明する。但し、この場合、上側筐体２にカバー１が取り付けられている状態ではなく、便宜上、上側筐体２からカバー１が取り外された状態で説明する。
【００４６】
図６（Ａ）、（Ｂ）に示すように、押ボタン４が押下操作前の非押下位置にある場合、押ボタン４はコイルスプリング５５の付勢力により上方に付勢され、当該押ボタン４のガイド部４ｂが押ボタン収容部２０の案内溝２０ａの係止端２０ａｓで係止された非押下位置に位置付けられている。すなわち、この場合、押ボタン４の引掛突起部４ｅと復旧レバー５７の被係合突起部５７ｂとは非接触状態となっており、かつ復旧レバー５７が線バネ５８の付勢力により押ボタン４側に付勢された初期位置に位置付けられている。
【００４７】
その後、図７（Ａ）および（Ｂ）に示すように、押ボタン４が非押下位置からユーザにより押下操作されると、押ボタン４がコイルスプリング５５の付勢力に抗して非押下位置から押下位置へ向かって下降する。
【００４８】
このとき押ボタン４における引掛突起部４ｅのボタン側傾斜面４ｅｃと復旧レバー５７における被係合突起部５７ｂのレバー側傾斜面５７ｂｃとが面接触し、押ボタン４の下降に伴って復旧レバー５７が線バネ５８の付勢力に抗して押ボタン４から離間する水平方向へプリント基板５１上を移動される。
【００４９】
このとき、押ボタン４の引掛突起部４ｅと復旧レバー５７の被係合突起部５７ｂとが面接触した安定状態で、押ボタン４に対する押下方向の力を被係合突起部（５７ｂ）の水平方向の力に効率良く変換し、当該復旧レバー５７を初期位置から突出位置へ向かって移動させることができる。なお、復旧レバー５７は脚部５７ｒによってプリント基板５１上を接触抵抗が低減された状態で滑らかに移動されるので、押ボタン４の復帰動作を円滑かつ高速に行うことができるとともに、ユーザに対して押ボタン４を押下操作する際の抵抗感を与えることがない。
【００５０】
その後、押ボタン４の下降によって、当該押ボタン４の引掛突起部４ｅが復旧レバー５７の被係合突起部５７ｂを通り越すと、線バネ５８の付勢力によって復旧レバー５７が押ボタン４側に戻される。
【００５１】
この場合も復旧レバー５７は脚部５７ｒによってプリント基板５１上を点接触で速やかに移動するため、図７（Ｃ）に示すように、押ボタン４の引掛突起部４ｅの上端面４ｅｕと復旧レバー５７の被係合突起部５７ｂの引掛部５７ｂｋとが瞬時に係合され、当該復旧レバー５７が初期位置に位置付けられると共に押ボタン４が押下位置に位置付けられる。
【００５２】
図８（Ａ）および（Ｂ）に示すように、押ボタン４の引掛突起部４ｅの上端面４ｅｕと復旧レバー５７の被係合突起部５７ｂの引掛部５７ｂｋとが係合され、押ボタン４が押下位置に位置付けられた状態において、ユーザが押ボタン４を非押下位置に復帰させたい場合、まず図示しないカバー１を上側筐体２から取り外す。
【００５３】
カバー１が上側筐体２から取り外された状態において、ユーザが復旧レバー５７の操作部５７ｃを押ボタン４側から離間する方向に引っ張ると、図８（Ｃ）に示すように、当該復旧レバー５７が線バネ５８の付勢力に抗して押ボタン４から離間する方向に移動される。そうすると、押ボタン４の引掛突起部４ｅの上端面４ｅｕと復旧レバー５７の被係合突起部５７ｂの引掛部５７ｂｋとの係合状態が解除される。
【００５４】
このとき、コイルスプリング５５の付勢力によって押ボタン４が押下位置から非押下位置へ向かって速やかに上昇する。この場合も、復旧レバー５７は脚部５７ｒによってプリント基板５１上を点接触で速やかに移動するため、押ボタン４の復帰動作を速やかに行い、当該押ボタン４を非押下位置に再度位置付ける。なお復旧レバー５７については、操作部５７ｃに対する操作が終了すると、線バネ５８の付勢力により突出位置から初期位置に戻される。
【００５５】
このように通報装置１０００は、押ボタン４に対する押下操作により非押下位置から押下位置へ位置付けられると、当該押ボタン４を押下位置のまま維持することができ、その後、復旧レバー５７の操作部５７ｃが引っ張られるだけで容易かつ瞬時に押ボタン４を押下位置から非押下位置に復帰させることができる。また通報装置１０００は、押ボタン４の前面に何ら設けられていないため、押ボタン４の押下操作に際して破損のおそれも存在しない。
【００５６】
＜他の実施の形態＞
なお、上述した本実施の形態においては、線バネ５８を用いるようにした場合について述べたが、本発明はこれに限らず、板バネ等のその他種々のバネを用いるようにしても良い。
【００５７】
また、上述した本実施の形態においては、復旧レバー５７の脚部５７ｒによりプリント基板５１上を当該復旧レバー５７が点接触移動するようにした場合について述べたが、本発明はこれに限らず、復旧レバー５７の下端面とプリント基板５１との摩擦抵抗が小さく滑らかに移動可能であれば、脚部５７ｒを設けることなく復旧レバー５１の下端面とプリント基板５１との間で摺動移動させるようにしても良い。
【符号の説明】
【００５８】
１…カバー、２…上側筐体（筐体）、３…下側筐体、４…押ボタン、４ｅ…引掛突起部、４ｅｃ…レバー側傾斜面、４ｅｕ…上端面、１０…押ボタン露出穴１０、１１…カバー側壁部、２１…上側筐体側壁部、２２…支持面、２３…係合孔部、２９…操作部用穴、５１…プリント基板（ベース）、５２…スイッチ回路、５３…絶縁シート、５４…押下補助ゴム、５５…コイルスプリング（弾性部材）、５７…復旧レバー、５７ａ…本体部、５７ｂ…被係合突起部、５７ｂｃ…レバー側傾斜面、５７ｂｋ…引掛部、１０００…通報装置。
【図１】
2015138635.tif 000003
【図２】
2015138635.tif 000004
【図３】
2015138635.tif 000005
【図４】
2015138635.tif 000006
【図５】
2015138635.tif 000007
【図６】
2015138635.tif 000008
【図７】
2015138635.tif 000009
【図８】
2015138635.tif 000010